(57)【要約】【課題】  異なる電子インフォメーションを相互に認識及び交流させるべく、電気機器装着型インフォメーションモジュールを提供する。【解決手段】  ボックス１内にコンピュータ回路１１と複数の周辺設備に対応するインターフェイス１２と複数の連結ポート１３と挿入孔１４を設け、電気機器３を制御する連結ポート１３１をアダプタインターフェイス２に連結し、該アダプタインターフェイス２の一端に該連結ポート１３１と対応するアダプタプラグ２１を設け、もう一端には複数の端子２２を設け、電気機器３内の回路と連結し、且つ該連結ポート１３１は金手指（改造コード）プラグボード或いは多数の孔が配列されたタイプのコネクタとし、これにより該ボックス１をモジュール化して一般の電気機器３内に装着する。【選択図】        図２
0003101623.tif 000002
【実用新案登録請求の範囲】
【請求項１】
ボックスとアダプタインターフェイスとより構成される電気機器装着型インフォメーションモジュールにおいて、
内部にコンピュータ回路及び複数の周辺インターフェイスが設けられており、且つその他の機能を外接するべく複数の連結ポート及び挿入孔が設けられており、且つ少なくとも一つの電気機器を制御する連結ポートが設けられている該ボックスと、
一端には電気機器の端子線と相互に連結されるべく、上述の制御連結ポートに対応したアダプタプラグが設けられている該アダプタインターフェイスと、
を具有し、該モジュール化された該ボックスを一般の電気機器内に装着することで、電子インフォメーションを相互に交流認識を可能にし、且つ装着が素早く容易であると同時に、回路が整然として明確で量産に適しており、メンテナンスが容易であることを特徴とする電気機器装着型インフォメーションモジュール。
【請求項２】
該ボックスの制御連結ポートは改造コードプラグボードであることを特徴とする請求項１記載の電気機器装着型インフォメーションモジュール。
【請求項３】
該ボックスの制御連結ポートは多数の孔が配列されているタイプのコネクタであることを特徴とする請求項１記載の電気機器装着型インフォメーションモジュール。
【請求項４】
該アダプタインターフェイスと該ボックスの制御連結ポートの連結方式は、平行配置であることを特徴とする請求項１記載の電気機器装着型インフォメーションモジュール。
【請求項５】
該アダプタインターフェイスと該ボックスの制御連結ポートの連結方式は、垂直配置であることを特徴とする請求項１記載の電気機器装着型インフォメーションモジュール。
【請求項６】
該ボックスは箱型を呈しており、両側には電気機器内に螺合されて固定されるべく、ボルトホールが設けられていることを特徴とする請求項１記載の電気機器装着型インフォメーションモジュール。
【請求項７】
該コンピュータ回路には、サウスブリッジとノースブリッジを具有するチップセット，中央処理機を含み、その周辺インターフェイスにはIDEバス，USBコネクタ，シリアルバスインターフェイスマウス，シリアルバスインターフェイスキーボード，グラフィックカード，オーディオカード，モデムシリアル，シリアルATA及びファイヤワイヤ連結ポート，PCMCIA，ネットワークカードを含むことを特徴とする請求項１記載の電気機器装着型インフォメーションモジュール。
【請求項８】
該コンピュータ回路上にはPCIバス及びダブルデートレートの拡張スロットが設けられていることを特徴とする請求項７記載の電気機器装着型インフォメーションモジュール。
【考案の詳細な説明】
【技術分野】
【０００１】
本考案は電気機器装着型インフォメーションモジュールに係り、特にコンピュータ回路及び各種周辺設備のバスを整合することでモジュール化し、一般の電気機器に素早く装着でき、且つ電子インフォメーション同士が相互に認識及び交流を行えるようにする電気機器装着型インフォメーションモジュールに関わる。
【背景技術】
【０００２】
デジタルインフォメーションが現代の生活で欠かせない存在となっているが、技術の発展に伴い、特にインターネットがこれらのインフォメーションの連結にとって非常な役割を担っており、作業時間が短縮された、或いは応用範囲が広がった等、使用者にとって便利な存在となっている。
現在のデジタル機器は種類も豊富で多元化しており、例えば内部のコンピュータが含まれて直接インターネットにアクセスできるテレビ、また音響設備や冷蔵庫などにもこれらが応用されている。
【特許文献１】特開２００１−２４９８２４号公報
【考案の開示】
【考案が解決しようとする課題】
【０００３】
しかし上述のような各種デジタル機器には、内部のインフォメーション制御に小型コンピュータが設けられているため、回路板はそれぞれの規格サイズ及びインターフェイスの伝送方式を具有し、それぞれの異なる電気機器に異なる操作モジュールを具有し、これらのモジュールの規格が異なることから、種類が多すぎ、装着やメンテナンスの点において煩雑であることが欠点となっている。また同時に各種機能を設けようとする場合には、各種インフォメーション設備のハードを具さねばならず、電気機器との間の回路の連結及び伝送の整合は、更に複雑な線路となってしまい、莫大なスペースや多数のコネクタが必要となり、メンテナンスや装着を更に複雑なものとすることになる。またインターフェイスの設定が異なるという点においては、電気機器間で通用する機能性が大幅に減少され、使用範囲に制限を受け、且つ電気機器の操作は各種調整変換を経ると同時に特定のモードで行わなければならず、使用者にとっては不便であることが言え、数個の処理システムを同時に運用して変換調整を行うことでは、作業処理時間も増加してしまう。
そこで上述の多数の欠点に鑑み、異なる電子インフォメーションを相互に認識及び交流させるべく、本考案の電気機器装着型インフォメーションモジュールを提供する。
【課題を解決するための手段】
【０００４】
ボックス内には外接される機能に応じるべく、コンピュータ回路及び複数の周辺設備に対応するインターフェイス、並びに複数の連結ポート及び挿入孔を設け、電気機器を制御する連結ポートをアダプタインターフェイスに連結し、該アダプタインターフェイスの一端に連結ポートと対応するアダプタプラグを設け、もう一端には複数の端子を設け、電気機器内の回路と連結されるようにし、該アダプタインターフェイスと該ボックスの連結ポートの連結方式においては、平行配列或いは垂直配列とし、且つ該連結ポートは金手指（改造コード）プラグボード或いは多数の孔が配列されたタイプのコネクタとし、これにより該ボックスをモジュール化して一般の電気機器内に装着する。
すなわち、本考案の電気機器装着型インフォメーションモジュールは、以下に述べる特徴を有する。
１．主にボックスとアダプタインターフェイスとより構成される電気機器装着型インフォメーションモジュールにおいて、
内部にコンピュータ回路及び複数の周辺インターフェイスが設けられており、且つその他の機能を外接するべく複数の連結ポート及び挿入孔が設けられており、且つ少なくとも一つの電気機器を制御する連結ポートが設けられている該ボックスと、
一端には電気機器の端子線と相互に連結されるべく、上述の制御連結ポートに対応したアダプタプラグが設けられている該アダプタインターフェイスと、
を具有し、該モジュール化された該ボックスを一般の電気機器内に装着することで、電子インフォメーションを相互に交流認識を可能にし、且つ装着が素早く容易であると同時に、回路が整然として明確で量産に適しており、メンテナンスが容易であることを特徴とする。
２．該ボックスの制御連結ポートは金手指（改造コード）プラグボードであることを特徴とする。
３．該ボックスの制御連結ポートは多数の孔が配列されているタイプのコネクタであることを特徴とする。
４．該アダプタインターフェイスと該ボックスの制御連結ポートの連結方式は、平行配置であることを特徴とする。
５．該アダプタインターフェイスと該ボックスの制御連結ポートの連結方式は、垂直配置であることを特徴とする。
６．該ボックスは箱型を呈しており、両側には電気機器内に螺合されて固定されるべく、ボルトホールが設けられていることを特徴とする。
７．該コンピュータ回路には、サウスブリッジとノースブリッジを具有するチップセット，CPU（中央処理機）を含み、その周辺インターフェイスにはIDEバス，USB（ユニバーサルシリアルバス）コネクタ，シリアルバス（PS２：IBMのコンピュータシステムの一種）インターフェイスマウス，シリアルバス（PS２）インターフェイスキーボード，グラフィックカード，オーディオカード，モデムシリアルRS-232，シリアルATA7pin及び上述のファイヤワイヤ（IEEE1394）連結ポート，PCMCIA（Personal Computer Memory Card International Association），ネットワークカードなどを含むことを特徴とする。
８．該コンピュータ回路上にはPCI（プロトコルコントロールインフォメーション）バス及びダブルデートレート（Double Data Rate：DDR）266×1184pinの拡張スロットが設けられていることを特徴とする。
【考案の効果】
【０００５】
本考案によると、異なる出入力ラインをボックスタイプのモジュールにバス整合した設計により、一般の電気機器内に素早く組み立てられるといった利点が提供できた他、回路が整然しており且つ明確であり、また規格の異なる多数の電気機器に対応できるため量産に適しており、且つメンテナンスが容易であり、またCPU及びチップセットによってインフォメーションが処理され、各インフォメーションが相互に認識及び交流が行えるようになり、公知におけるハードとソフトを異なるインターフェイス上で変換調整するといった問題、及び装着上での問題も解決された。
【考案を実施するための最良の形態】
【０００６】
図１から図７に示すように、本考案の電気機器装着型インフォメーションモジュールには主にボックス１とアダプタインターフェイス２とより構成される。
該ボックス１においては、箱型を呈しており、その両側にはボルトホール１５が設けられて電気機器３内に固定されるようになっており、該ボックス１内にはコンピュータ回路１１及び複数の周辺インターフェイス１２が設けられており、また外接された機能に応じるべく複数の連結ポート１３及び挿入孔１４が設けられている。
該アダプタインターフェイス２においては、一端に連結ポート１３１に対応したアダプタプラグ２１が設けられており、もう一端には複数の端子２２が設けられていることで、電気機器３の端子線３１が接続される個所を提供する。
【０００７】
実施時には、該連結ポート１３１を金手指（改造コード）プラグボードや多数の孔が配列されたタイプのコネクタとし、該周辺インターフェイス１２と該連結ポート１３１の連結方法においては、図４に示すような平行配置、或いは図５に示すような垂直の配置の二種類とする。
上述により、該モジュールボックス１を一般の電気機器３内に取り付けるのが簡単で、回路が整然としており明確なだけではなく、規格も一致していることから量産に適しており、各種電気機器に取り付けられ、またメンテナンスも容易であるといった利点を具える。
【０００８】
取り付けにおいては、該モジュールボックス１の側面のボルトホール１５を一般の電気機器３の機体内部に緊密に固定し、該連結ポート１３１で該アダプタインターフェイス２に連結し、該アダプタインターフェイス２のもう一端には更に該電気機器３の端子線３１が差し込まれて連結される。取り付けられる機種の違いによっては必要に応じ、図６に示すように該ボックス１上には更にビジュアルカード４２やPCMCIA４３やメモリ拡張カードやその他のインターフェイスを装備する。
【０００９】
図３に示すように、本考案におけるボックス１内のコンピュータ回路１１においては、該周辺インターフェイス１２と同一の板上に設置する、或いは拡張増設方式によるものとする。該コンピュータ回路１１にはサウスブリッジとノースブリッジを具有するチップセット及びICU（中央処理機）を含み、該周辺インターフェイス１２にはIDE，USB（ユニバーサルシリアルバス）コネクタ，シリアルバス（PS２：IBMのコンピュータシステムの一種）インターフェイスマウス，シリアルバス（PS２）インターフェイスキーボード，グラフィックカード，オーディオカード，モデムシリアルRS-232，シリアルATA７pin，及び上述のファイヤワイヤ（IEEE1394）連結ポート，及び上述のPCMCIA４３，ネットワークカードなどのインターフェイスが含まれる。また該コンピュータ回路１１上には更にPCI（プロトコルコントロールインフォメーション）バス及びダブルデートレート（DDR：Double Data Rate）266×1184pinなどの拡張スロット１９を増設してもよい。
【００１０】
また図７に示すように、本考案を液晶テレビ内に装着した場合、異なる機能の周辺インターフェイスを本考案のモジュール内に搭載していること、またCPUを経ることによって整合された後にアウトプットするモードとなるため、大量のインターフェイスの変換調整時間が省略され、マルチメディアテレビとしての機能以外にも、インターネットの利用や３Dゲームにも適したモードとなる。
【図面の簡単な説明】
【００１１】
【図１】本考案の立体外観である。
【図２】本考案の立体分解図である。
【図３】本考案の回路におけるブロックチャートである。
【図４】本考案において、連結ポートとアダプタインターフェイスとを水平状に配置した様子を示す図である。
【図５】本考案において、連結ポートとアダプタインターフェイスとを垂直状に配置した様子を示す図である。
【図６】本考案をカード挿入により拡張が行えるものとした様子を示す図である。
【図７】本考案を液晶テレビ内に装着した様子を示す図である。
【符号の説明】
【００１２】
１      ボックス
１１    コンピュータ回路
１２    周辺インターフェイス
１３    連結ポート
１３１  連結ポート
１４    挿入孔
１５    ボルトホール
１９    拡張スロット
２      アダプタインターフェイス
２１    アダプタプラグ
２２    端子
３      電気機器
３１    端子線
４２    ビジュアルカード
４３    PCMCIA
【図１】
0003101623.tif 000003
【図２】
0003101623.tif 000004
【図３】
0003101623.tif 000005
【図４】
0003101623.tif 000006
【図５】
0003101623.tif 000007
【図６】
0003101623.tif 000008
【図７】
0003101623.tif 000009